(57)【要約】【課題】とりわけホット飲料を飲用する際に火傷せず飲みやすく、飲用時に蓋材上に飲料が残ることを抑制することが可能な、オーバーキャップを提供する。【解決手段】オーバーキャップ２０は、天面部２１と、飲み口部２４と、胴体部２２と、突き刺し部２３と、を備えている。突き刺し部２３の外面のうち、天面部２１から離間した位置に、突き刺し部２３を蓋材５０に突き刺した後に蓋材５０と係合する係合部３２が形成されている。胴体部２２の内面であって天面部２１の一方の面２１ａ側に、突き刺し部２３を蓋材５０に突き刺す前にフランジ１３に嵌合する第１嵌合部２８が形成されている。胴体部２２の内面であって天面部２１の他方の面２１ｂ側に、突き刺し部２３を蓋材５０に突き刺した後にフランジ１３に嵌合する第２嵌合部２９とが形成されている。【選択図】図１
2020045114.tif 000002
【特許請求の範囲】
【請求項１】
フランジを有するカップ状の容器本体と、前記容器本体を密閉する蓋材とを有する飲料用容器に取り付けられるオーバーキャップにおいて、
一方の面と他方の面とを有する天面部と、
前記天面部の前記一方の面側に開口する飲み口部と、
前記天面部の周縁に位置し、前記天面部の前記一方の面側から他方の面側に延びる胴体部と、
前記胴体部の内側で前記天面部の他方の面側に延びるとともに、前記飲み口部に連通する突き刺し部と、を備え、
前記突き刺し部の外面のうち、前記天面部から離間した位置に、前記突き刺し部を前記蓋材に突き刺した後に前記蓋材と係合する係合部が形成され、
前記胴体部の内面であって前記天面部の前記一方の面側に、前記突き刺し部を前記蓋材に突き刺す前に前記容器本体の前記フランジに嵌合する第１嵌合部が形成され、
前記胴体部の内面であって前記天面部の前記他方の面側に、前記突き刺し部を前記蓋材に突き刺した後に前記容器本体の前記フランジに嵌合する第２嵌合部が形成されている、オーバーキャップ。
【請求項２】
前記第１嵌合部は、前記胴体部の内面のうち、前記飲み口部側を除く部分に形成されている、請求項１記載のオーバーキャップ。
【請求項３】
前記天面部は、前記一方の面側に突出する凸状部を有し、前記凸状部は、前記第１嵌合部を前記容器本体の前記フランジに嵌合させたときに、前記蓋材に当接する、請求項１又は２記載のオーバーキャップ。
【請求項４】
前記天面部のうち前記飲み口部と前記胴体部との間の領域に、傾斜面が形成されている、請求項１乃至３のいずれか一項記載のオーバーキャップ。
【請求項５】
フランジを有するカップ状の容器本体と、前記容器本体を密閉する蓋材とを有する飲料用容器と、
前記飲料用容器に取り付けられた、請求項１乃至４のいずれか一項記載のオーバーキャップと、を備えた、オーバーキャップ付き容器。
【請求項６】
前記オーバーキャップに取り付けられた保護キャップを更に備えた、請求項５記載のオーバーキャップ付き容器。
【発明の詳細な説明】
【技術分野】
【０００１】
本実施の形態は、オーバーキャップおよびオーバーキャップ付き容器に関する。
【背景技術】
【０００２】
従来、コーヒー等の内容物を充填し、飲用するための飲料カップが知られている。このような飲料カップに充填された内容物は、ストローを用いて飲用されることが一般的である。また、近年、飲料カップにおいて、ストロー以外の手段を用いて内容物を飲用することも行われている。
【先行技術文献】
【特許文献】
【０００３】
【特許文献１】特開２０１４−２４５９５号公報
【発明の概要】
【発明が解決しようとする課題】
【０００４】
しかしながら、飲料カップを用いてホット飲料を飲用する場合、口径の小さい飲用口を用いると、内容物を飲用するスピードが調整しにくく、ユーザーが火傷してしまうおそれがある。このため、とりわけホット飲料用の飲料カップにおいては、ある程度広い口径の飲用口とすることが望まれる。
【０００５】
また、従来、蓋材を突刺し刃によって開封するタイプのオーバーキャップが知られている（例えば特許文献１参照）。しかしながら、このようなオーバーキャップを用いると、蓋材上に内容物が残り、飲用時にこの蓋材上の内容物が飛び散るおそれがある。
【０００６】
本開示はこのような点を考慮してなされたものであり、とりわけホット飲料を飲用する際に火傷せず飲みやすく、飲用時に蓋材上に飲料が残ることを抑制することが可能な、オーバーキャップおよびオーバーキャップ付き容器を提供することを目的とする。
【課題を解決するための手段】
【０００７】
本実施の形態によるオーバーキャップは、フランジを有するカップ状の容器本体と、前記容器本体を密閉する蓋材とを有する飲料用容器に取り付けられるオーバーキャップにおいて、一方の面と他方の面とを有する天面部と、前記天面部の前記一方の面側に開口する飲み口部と、前記天面部の周縁に位置し、前記天面部の前記一方の面側から他方の面側に延びる胴体部と、前記胴体部の内側で前記天面部の他方の面側に延びるとともに、前記飲み口部に連通する突き刺し部と、を備え、前記突き刺し部の外面のうち、前記天面部から離間した位置に、前記突き刺し部を前記蓋材に突き刺した後に前記蓋材と係合する係合部が形成され、前記胴体部の内面であって前記天面部の前記一方の面側に、前記突き刺し部を前記蓋材に突き刺す前に前記容器本体の前記フランジに嵌合する第１嵌合部が形成され、前記胴体部の内面であって前記天面部の前記他方の面側に、前記突き刺し部を前記蓋材に突き刺した後に前記容器本体の前記フランジに嵌合する第２嵌合部が形成されている。
【０００８】
本実施の形態によるオーバーキャップにおいて、前記第１嵌合部は、前記胴体部の内面のうち、前記飲み口部側を除く部分に形成されていても良い。
【０００９】
本実施の形態によるオーバーキャップにおいて、前記天面部は、前記一方の面側に突出する凸状部を有し、前記凸状部は、前記第１嵌合部を前記容器本体の前記フランジに嵌合させたときに、前記蓋材に当接しても良い。
【００１０】
本実施の形態によるオーバーキャップにおいて、前記天面部のうち前記飲み口部と前記胴体部との間の領域に、傾斜面が形成されていても良い。
【００１１】
本実施の形態によるオーバーキャップ付き容器は、フランジを有するカップ状の容器本体と、前記容器本体を密閉する蓋材とを有する飲料用容器と、前記飲料用容器に取り付けられた、前記オーバーキャップと、を備えている。
【００１２】
本実施の形態によるオーバーキャップ付き容器において、前記オーバーキャップに取り付けられた保護キャップを更に備えても良い。
【発明の効果】
【００１３】
本実施の形態によれば、とりわけホット飲料を飲用する際に火傷せず飲みやすく、飲用時に蓋材上に飲料が残ることを抑制することができる。
【図面の簡単な説明】
【００１４】
【図１】図１は、本実施の形態によるオーバーキャップ付き容器を示す垂直断面図（図２のＩ−Ｉ線断面図）。
【図２】図２は、本実施の形態によるオーバーキャップ付き容器を示す平面図。
【図３】図３は、本実施の形態によるオーバーキャップ付き容器を示す垂直断面図（図１と同一の位置における断面図）。
【図４】図４は、本実施の形態によるオーバーキャップ付き容器の一部を示す拡大断面図（図３のIV部拡大図）。
【図５】図５（ａ）−（ｄ）は、本実施の形態によるオーバーキャップ付き容器の使用方法を示す垂直断面図。
【図６】図６は、変形例によるオーバーキャップ付き容器を示す垂直断面図。
【発明を実施するための形態】
【００１５】
以下、オーバーキャップおよびオーバーキャップ付き容器の一実施の形態について、図１乃至図５を用いて説明する。図１乃至図５は、一実施の形態を示す図である。
【００１６】
なお、本明細書中、「上」および「下」とは、それぞれオーバーキャップ付き容器１０を正立させた状態（図１）における上方および下方のことをいう。ここで、「正立」とは、オーバーキャップ付き容器１０の容器本体１１をオーバーキャップ２０よりも鉛直方向下方に配置するとともに、オーバーキャップ２０の中心軸Ａを鉛直軸に対して平行にした状態をいう。
【００１７】
図１に示すように、本実施の形態によるオーバーキャップ付き容器１０は、飲料用容器１５と、飲料用容器１５に着脱可能に取り付けられたオーバーキャップ２０とを備えている。
【００１８】
このうち飲料用容器１５は、内部に飲料が充填されるカップ状の容器本体１１と、容器本体１１を密閉する蓋材５０とを有している。容器本体１１は、例えばポリプロピレン等のプラスチック製カップのほか、紙カップ等であっても良い。容器本体１１の内部に収容される飲料は特に限定されるものではなく、コーヒー、紅茶、緑茶等のホット飲料等を用いることができる。
【００１９】
容器本体１１は、全体として上方から下方に向けて徐々に幅が狭くなっている有底筒状容器からなる。この容器本体１１は、容器胴部１２と、容器胴部１２の上端に設けられたフランジ１３と、容器胴部１２の下部に形成された容器底部１４とを備えている。
【００２０】
このうち容器胴部１２は、上方（フランジ１３側）から下方（容器底部１４側）に向けて徐々に縮径する筒形状を有している。また容器胴部１２の水平断面は、その上端から下端までの任意の箇所において円形状となっている。しかしながら、容器胴部１２の水平断面は楕円形状、または三角形状、四角形状、六角形状、八角形状等の多角形状であっても良い。
【００２１】
フランジ１３は、平面視略円環形状をもち、容器胴部１２の上端から側方に向けて水平に突出している。なお、容器本体１１が例えば紙カップからなる場合には、フランジ１３は、外側に向けてカールさせることにより形成されたものであっても良い。また、容器底部１４は、平面視略円形状であり、容器胴部１２の下部に位置している。
【００２２】
蓋材５０は、平面視略円形状であり、容器本体１１のフランジ１３に対して全周にわたってシールされている。この蓋材５０は、容器本体１１を初期密封するものである。蓋材５０がフランジ１３に取り付けられることにより、容器本体１１の内部が気密に保持されている。また、蓋材５０は、オーバーキャップ２０の突き刺し部２３によって貫通可能な程度の強度を有している。蓋材５０の材料は、未延伸ナイロンやアルミニウム積層体等とすることができる。蓋材５０の厚みは、３０μｍ以上１５０μｍ以下としても良い。
【００２３】
次に、図１乃至図４を用いて、オーバーキャップ２０について説明する。なお、図１及び図２は、突き刺し部２３を蓋材５０に突き刺す前の状態を示し、図３及び図４は、オーバーキャップ２０を上下反転し、突き刺し部２３を蓋材５０に突き刺した後の状態を示している。なお、図２においては、保護キャップ８０が取り付けられていない状態を示している。
【００２４】
図１乃至図４に示すように、本実施の形態によるオーバーキャップ２０は、容器本体１１のフランジ１３に取り付けられる。このオーバーキャップ２０は、天面部２１と、筒状の胴体部２２と、突き刺し部２３とを備えている。
【００２５】
このうち天面部２１は、平面視略円形状からなり、一方の面２１ａと他方の面２１ｂとを有する。ここで一方の面２１ａとは、突き刺し部２３を蓋材５０に突き刺す前の状態（図１参照）で、下方（容器本体１１側）を向く面である。また、他方の面２１ｂとは、一方の面２１ａの反対側の面であり、突き刺し部２３を蓋材５０に突き刺した後の状態（図３参照）で、下方（容器本体１１側）を向く面である。一方の面２１ａと他方の面２１ｂは、それぞれ凹凸を有する面からなるが、平坦面あるいは曲面であっても良い。
【００２６】
天面部２１には、オーバーキャップ２０の中心軸Ａからずれた位置に、平面視略円形状の飲み口部２４が形成されている。この飲み口部２４は、飲料用容器１５内の飲料を飲用する際に用いられるものであり、天面部２１の一方の面２１ａ側に開口している。飲み口部２４の内径は、１５ｍｍ以上３０ｍｍ以下となっている。これにより口径の小さいストロー等を用いる場合と比較して、飲料を飲用するスピードが調整しやすくなっている。
【００２７】
また、天面部２１は、平坦部２５と、平坦部２５から一方の面２１ａ側に突出する凸状部２６とを有している。図２に示すように、突き刺し部２３及び飲み口部２４は、天面部２１の平坦部２５上に位置している。平坦部２５は、突き刺し部２３及び飲み口部２４の周囲と、オーバーキャップ２０の中心軸Ａに対して、突き刺し部２３及び飲み口部２４の線対称となる位置と、にそれぞれ設けられている。凸状部２６は、これら一対の平坦部２５の間に位置している。凸状部２６は、突き刺し部２３を蓋材５０に突き刺す前に、第１嵌合部２８を容器本体１１のフランジ１３に嵌合させたときに（図１参照）、蓋材５０に当接するようになっている。すなわち、凸状部２６と後述する第１嵌合部２８との高さ方向距離（中心軸Ａに平行な方向の距離）が、フランジ１３及び蓋材５０の厚みにほぼ相当する。凸状部２６が蓋材５０に当接することにより、フランジ１３及び蓋材５０を、第１嵌合部２８と凸状部２６とによって安定して挟持することができる。
【００２８】
天面部２１のうち、飲み口部２４と胴体部２２との間の領域には、傾斜面３４が形成されている。この傾斜面３４は、飲み口部２４側から胴体部２２側に近づくにつれて、一方の面２１ａ側（図１の下側）に向けて傾斜している。このように傾斜面３４を設けたことにより、飲料用容器１５内の飲料を飲用する際、飲料を口に向けて流しやすくすることができる。
【００２９】
胴体部２２は、略円筒形状からなり、天面部２１の周縁に位置している。胴体部２２は、天面部２１の一方の面２１ａ側から他方の面２１ｂ側に向けて、オーバーキャップ２０の中心軸Ａに対して略平行に延びている。胴体部２２の内面には、第１嵌合部２８と、第２嵌合部２９とがそれぞれ形成されている。
【００３０】
このうち第１嵌合部２８は、天面部２１の一方の面２１ａ側に形成されている。第１嵌合部２８は、後述するように突き刺し部２３を蓋材５０に突き刺す前に、容器本体１１のフランジ１３に嵌合するものである（図１参照）。この第１嵌合部２８は、平面視略Ｃ字形状を有し、胴体部２２の内面から径方向内側に向けて突出する突起からなる。この場合、第１嵌合部２８は、胴体部２２の内面のうち飲み口部２４側を除く部分に形成されている。これにより、飲料用容器１５内の飲料を飲用する際、第１嵌合部２８が口に接触することがなく、飲料を飲用しやすくなっている。本実施の形態において第１嵌合部２８は、平面視略Ｃ字形状となっているが、これに限らず、複数の第１嵌合部２８が胴体部２２の周方向に沿って断続的に形成されていても良い。
【００３１】
第２嵌合部２９は、天面部２１の他方の面２１ｂ側に形成されている。すなわち天面部２１は、第２嵌合部２９と第１嵌合部２８との間に位置する。第２嵌合部２９は、後述するように突き刺し部２３を蓋材５０に突き刺した後、容器本体１１のフランジ１３に嵌合するものである（図３及び図４参照）。この第２嵌合部２９は、平面視略円環形状を有し、胴体部２２の内面から径方向内側に向けて突出する突起からなる。この場合、第２嵌合部２９は、胴体部２２の内面全周にわたって形成されているが、これに限らず、胴体部２２の内面の一部にのみに形成されていても良い。
【００３２】
また、胴体部２２には、保護キャップ８０が取り付けられている。保護キャップ８０には係合凸部８３が形成され、この係合凸部８３を、胴体部２２の外面に形成された係合凹部２７に係合させることにより、保護キャップ８０がオーバーキャップ２０に着脱可能に取り付けられている。なお、保護キャップ８０の構成は後述する。
【００３３】
突き刺し部２３は、胴体部２２の内側で、天面部２１から天面部２１の他方の面２１ｂ側に向かって延びている。突き刺し部２３は、一方の面２１ａ側から他方の面２１ｂ側に向かって縮径する略円筒形状からなる。突き刺し部２３の端面（天面部２１から遠い側の端面）は蓋材５０に対して斜めに傾斜している。なお、突き刺し部２３の端面は、断面視で直線状に傾斜していても良く、天面部２１側に向けて湾曲していても良く、あるいはギザギザ状になっていても良い。
【００３４】
また、突き刺し部２３の、天面部２１から遠い側の端部には、鋭利な先端部３１が形成されている。この先端部３１は、突き刺し部２３を蓋材５０に突き刺す前には、上方に向けられている（図１参照）。一方、先端部３１は、オーバーキャップ２０を反転して突き刺し部２３を蓋材５０に突き刺した後、蓋材５０よりも下方に位置する（図３参照）。また突き刺し部２３は、飲み口部２４に連通するとともに、天面部２１から延びている。すなわち、飲み口部２４と突き刺し部２３とは上下に一体に形成されている。そして飲料用容器１５内の飲料を飲用する際には、飲料は突き刺し部２３を通過して、飲み口部２４に送られるようになっている。
【００３５】
突き刺し部２３の外面であって天面部２１から離間した位置に、係合部３２が形成されている。この係合部３２は、上下方向において天面部２１と第２嵌合部２９との間に位置している。係合部３２は、後述するように突き刺し部２３を蓋材５０に突き刺した後、蓋材５０に係合するものである（図３及び図４参照）。この係合部３２は、平面視略円環形状を有し、突き刺し部２３の外面から径方向外側に向けて突出する突起からなる。この場合、係合部３２は、突き刺し部２３の外面全周にわたって形成されているが、これに限らず、突き刺し部２３の外面の一部にのみに形成されていても良い。なお、係合部３２と平坦部２５との上下方向の距離は、フランジ１３の厚みと蓋材５０の厚みとの合計に相当することが好ましい。
【００３６】
このようなオーバーキャップ２０の材料としては、例えば、ポリプロピレン、ＡＢＳ樹脂等の合成樹脂材料を用いることができる。また、オーバーキャップ２０を作製する方法としては、射出成形法を挙げることができる。
【００３７】
保護キャップ８０は、突き刺し部２３を蓋材５０に突き刺す前の状態で、オーバーキャップ２０を覆うように設けられている（図１参照）。保護キャップ８０は、オーバーキャップ２０に対して着脱可能に取り付けられている。この保護キャップ８０は、平面視円形状の保護キャップ天面８１と、保護キャップ天面８１の周縁に設けられた保護キャップ胴部８２とを有している。このうち保護キャップ胴部８２の内面には、上述した係合凸部８３が形成され、この係合凸部８３は、天面部２１の係合凹部２７に係合可能となっている。
【００３８】
このような保護キャップ８０の材料としては、例えば、ポリプロピレン、ポリスチレン、ＡＢＳ樹脂等の合成樹脂材料を用いることができる。保護キャップ８０の材料は、オーバーキャップ２０の材料と同一であっても良く、異なる材料であっても良い。また、保護キャップ８０を作製する方法としては、射出成形法、シート成形法を挙げることができる。なお、保護キャップ８０は、少なくとも突き刺し部２３を閉鎖可能な部材であれば良く、平面視でオーバーキャップ２０の全体を覆わなくても良い。保護キャップ８０としては、例えば突き刺し部２３に挿入される栓等の部材を用いても良い。
【００３９】
次に、このような構成からなる本実施の形態について説明する。具体的には、飲料が充填されたオーバーキャップ付き容器１０を初期開封し、飲料を飲用する際の作用について、図５（ａ）−（ｄ）を用いて説明する。
【００４０】
はじめに、初期開封前の状態では、図５（ａ）に示すように、オーバーキャップ２０が飲料用容器１５に取り付けられ、保護キャップ８０がオーバーキャップ２０に取り付けられている。このとき、天面部２１の一方の面２１ａが下方（容器本体１１側）を向き、天面部２１の他方の面２１ｂが上方（容器本体１１の反対側）を向いている。またオーバーキャップ２０の第１嵌合部２８は、容器本体１１のフランジ１３に嵌合している。
【００４１】
続いて、図５（ｂ）に示すように、保護キャップ８０を上方に引き上げる。このとき、保護キャップ８０の係合凸部８３を胴体部２２の係合凹部２７から離脱させることにより、保護キャップ８０がオーバーキャップ２０から取り外される。このように、保護キャップ８０が取り外されたことにより、突き刺し部２３が外方に露出した状態となる。
【００４２】
次に、オーバーキャップ２０を容器本体１１から取り外す。このとき、オーバーキャップ２０の第１嵌合部２８を容器本体１１のフランジ１３から離脱させることにより、オーバーキャップ２０が容器本体１１から取り外される。
【００４３】
続いて、図５（ｃ）に示すように、オーバーキャップ２０を上下反転させる。このとき、天面部２１の他方の面２１ｂが下方（容器本体１１側）を向き、天面部２１の一方の面２１ａが上方（容器本体１１の反対側）を向く。次に、オーバーキャップ２０を容器本体１１上に位置合わせし、オーバーキャップ２０を下方に向けて押し込む。このとき、突き刺し部２３の先端部３１が蓋材５０に当接し、その後、突き刺し部２３が蓋材５０を突き破る。これにより、突き刺し部２３の先端部３１は、蓋材５０の下方に進入する。
【００４４】
次いで、図５（ｄ）に示すように、オーバーキャップ２０がさらに下方に押し込まれ、オーバーキャップ２０の第２嵌合部２９が、容器本体１１のフランジ１３に嵌合する。また、オーバーキャップ２０の係合部３２が、蓋材５０の下面に係合する。このため、係合部３２と蓋材５０との間に隙間が生じにくい。
【００４５】
その後、容器本体１１を傾けることにより、容器本体１１内の飲料を飲用する。この際、容器本体１１内の飲料は、突き刺し部２３を通過して飲み口部２４に送られる。
【００４６】
このように本実施の形態によれば、オーバーキャップ２０を容器本体１１から取り外した後反転し、オーバーキャップ２０を下方に押し込み、突き刺し部２３を蓋材５０に突き刺す。このようにして、飲み口部２４を介して容器本体１１内の飲料を飲用することができる。これにより、径の小さいストロー等を用いる場合と比較して、飲料を飲用するスピードが調整しやすい。また、突き刺し部２３の外面のうち、天面部２１から離間した位置に、突き刺し部２３を蓋材５０に突き刺した後に蓋材５０と係合する係合部３２が形成されている。これにより、容器本体１１内の飲料を飲用する際、突き刺し部２３と蓋材５０とが係合するため、飲料が蓋材５０の表面側に漏れにくい。このように、オーバーキャップ付き容器１０を用いることにより、とりわけホット飲料を火傷することなく飲用できるとともに、飲用時に蓋材５０上に飲料が残ることを抑制することができる。
【００４７】
また本実施の形態によれば、オーバーキャップ２０の胴体部２２の内面に、突き刺し部２３を蓋材５０に突き刺した後に容器本体１１のフランジ１３に嵌合する第２嵌合部２９が設けられている。これにより、突き刺し部２３を蓋材５０に突き刺した後に、フランジ１３とオーバーキャップ２０とが嵌合するため、飲料がオーバーキャップ付き容器１０から漏れにくくなっている。
【００４８】
また本実施の形態によれば、第１嵌合部２８は、胴体部２２の内面のうち、飲み口部２４側を除く部分に形成されている。これにより、容器本体１１内の飲料を飲用する際、第１嵌合部２８が口に当たることがなく、飲料を飲用しやすくなっている。
【００４９】
また本実施の形態によれば、天面部２１は、一方の面２１ａ側に突出する凸状部２６を有し、凸状部２６は、第１嵌合部２８を容器本体１１のフランジ１３に嵌合させたときに、蓋材５０に当接する。これにより、突き刺し部２３を蓋材５０に突き刺す前に、蓋材５０及びフランジ１３を第１嵌合部２８と凸状部２６により押え込むことができ、オーバーキャップ２０の取り付け位置を安定させることができる。
【００５０】
また本実施の形態によれば、天面部２１のうち飲み口部２４と胴体部２２との間の領域に、傾斜面３４が形成されている。これにより、容器本体１１内の飲料を飲用する際、傾斜面３４に沿ってスムーズに飲料を流すことができる。
【００５１】
また本実施の形態によれば、オーバーキャップ２０に保護キャップ８０が取り付けられているので、初期開封前に飲み口部２４内に埃等の異物が侵入することを抑え、オーバーキャップ付き容器１０を衛生的なものとすることができる。また、オーバーキャップ付き容器１０に輸送時に、上方を向く突き刺し部２３が覆われるので、安全性を高めることができる。
【００５２】
［実施例］
次に、上記実施の形態における具体的実施例について説明する。
【００５３】
図１乃至図４に示すオーバーキャップ付き容器１０（実施例）を作製した。この場合、まずポリプロピレン製の容器本体１１を射出成形により作製した。次に、この容器本体１１に水を充填し、アルミニウム積層体製の蓋材５０で密封することにより、飲料用容器１５を得た。続いて、ポリプロピレン製のオーバーキャップ２０を射出成形により作製し、このオーバーキャップ２０を容器本体１１のフランジ１３に取り付けた。その後、ポリプロピレン製の保護キャップ８０をオーバーキャップ２０に取り付けることにより、オーバーキャップ付き容器１０を得た。次に、オーバーキャップ２０から保護キャップ８０を取り外し、オーバーキャップ２０を容器本体１１から取り外した。続いて、オーバーキャップ２０を上下反転し、この状態で容器本体１１上に配置した。その後、オーバーキャップ２０を下方に押し込み、突き刺し部２３を蓋材５０に突き刺し、容器本体１１内の水を飲用した。このとき、水が蓋材５０上に残ることはなく、かつ水がオーバーキャップ２０と容器本体１１との間から漏れることもなかった。
【００５４】
（変形例）
次に、図６を参照して、オーバーキャップ付き容器の変形例について説明する。図６は、オーバーキャップ付き容器の変形例を示す断面図である。図６において、図１乃至図５に示す形態と同一部分には同一の符号を付して詳細な説明は省略する。
【００５５】
図６に示すオーバーキャップ付き容器１０において、オーバーキャップ２０の天面部２１が平坦化されている。この場合、突き刺し部２３を蓋材５０に突き刺す前の状態で、天面部２１の周縁全周が蓋材５０に接触している。これにより、蓋材５０及びフランジ１３を、第１嵌合部２８と平坦な天面部２１により押え込むことができるので、オーバーキャップ２０の取り付け位置をより安定させることができる。
【００５６】
本開示は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。実施の形態に示される全構成要素から幾つかの構成要素を削除してもよい。
【符号の説明】
【００５７】
１０        オーバーキャップ付き容器
１１        容器本体
１２        容器胴部
１３        フランジ
１４        容器底部
１５        飲料用容器
２０        オーバーキャップ
２１        天面部
２１ａ      一方の面
２１ｂ      他方の面
２２        胴体部
２３        突き刺し部
２４        飲み口部
２５        平坦部
２６        凸状部
２８        第１嵌合部
２９        第２嵌合部
３２        係合部
４０        飲み口栓
５０        蓋材
８０        保護キャップ
【図１】
2020045114.tif 000003
【図２】
2020045114.tif 000004
【図３】
2020045114.tif 000005
【図４】
2020045114.tif 000006
【図５】
2020045114.tif 000007
【図６】
2020045114.tif 000008